(57)【特許請求の範囲】
【請求項１】
多量のソフトヘアー、内部シリンダーの外面に摺動可能に配置された該ソフトヘアーを覆うスライディング・シリンダー、及び該スライディング・シリンダーの前端を覆い、スライディング・シリンダーに沿って摺動して該ソフトヘアーを保護する保護キャップからなる多量のソフトヘアーを持つ化粧用ブラシであって、該内部シリンダーの前端に該ソフトヘアーが取付けられ、且つ、内部にパウダーが収納されており、該パウダーを該ソフトヘアーに噴射するために空気を充填する圧力ポンプが後端部に接合されており、さらに、該スライディング・シリンダーの内面にガイド突起があり、該内部シリンダーの外面に沿って縦に該ガイド突起に対応するガイド溝を設けて該スライディング・シリンダーが該ガイド溝に沿って縦方向に摺動することを特徴とする化粧用ブラシ。
【請求項２】
内部シリンダーを有し、両端に密閉カバーが付いており、ユニット・パックになっていて、内部シリンダーのパウダーを使い切ったときに、ソフトヘアーと連結部から内部シリンダーを取り外し、パウダーの入った新しい内部シリンダーの交換可能なことを特徴とする請求項１に記載の化粧用ブラシ。
【発明の詳細な説明】
【０００１】
【発明の属する技術分野】
本発明は、化粧用ブラシに関するものである。
また、本発明は、ソフトヘアーが外部に出ることなく、汚れや摩耗が少ない化粧用ブラシに関するものである。
【０００２】
【従来技術】
従来の化粧用ブラシは、ケ−ス内にパウダーが入っていて、使用中に直接出てくるため、ブラシとパウダーを別々に持って歩く必要はない。しかしながら、従来の化粧用ブラシは、一方の側に大量のソフトヘアーが付いており、内部シリンダーにはパウダーが入っていて、ポンプで内部シリンダーに空気を送り込んで、パウダーをソフトヘアーに向けて噴射することにより、ソフトヘアーを通じて直接的に使用者の肌にパウダーが供給されるようになっているので、このような従来の化粧用ブラシのソフトヘアーは、常に外部に露出しているため、簡単に摩耗したり、汚れたりする問題があった。
【０００３】
【発明が解決しようとする課題】
本発明は、従来の化粧用ブラシの問題点を解決した化粧用ブラシの改良にかかるものである。
すなわち、本発明では、使用中のみソフトヘアーが外部に出て、使用しないときにはカバーをして保護することによって、簡単に汚れたり、摩耗したりすることのない、化粧用ブラシを提供することを課題とする。
また、本発明では、パウダー交換の必要がなく、簡単にフィルターの清掃・交換ができるような化粧用ブラシを提供することを課題とする。
【０００４】
本発明の化粧用ブラシは、多量のソフトヘアーを持つものであり、内部シリンダーの前端にソフトヘアーを取り付け、その中にパウダーを含ませたものであって、内部シリンダーの後端に圧力ポンプを接合させ、空気を供給してパウダーをソフトヘアーに向けて噴射させ、内部シリンダーの外面を摺動するスライディング・シリンダー有している。本発明の化粧用ブラシは、このスライディング・シリンダーによってソフトヘアーをカバーできるようになっている。また、保護キャップは、スライディング・シリンダーの前端をカバーし、スライディング・シリンダーに沿ってスライドすることによってソフトヘアーを収納してソフトヘアーを保護することができる。
【０００５】
本発明の化粧用ブラシのソフトヘアーは、内部シリンダーと一体的に形成されるのが望ましい。ソフトヘアーは、後端にネジ切り部のある連結部に取り付けられており、内部シリンダーは、前端の内面にネジ切り部がある。内部シリンダーと連結部がネジで合わさり、また離すことが出来る。内部シリンダーは、両端に密閉カバーし、ユニット・パックにするのが望ましく、外面に縦に対応するガイド溝が付いており、ガイド突起をガイド溝に差し込んだり、はずしたりすることができる。
【０００６】
図面によって、本発明の化粧用ブラシを説明すると、図１は、本発明の化粧用ブラシの好適な第１態様のものの分解斜視図、図２及び図３は、本発明の化粧用ブラシのスライディング・シリンダーの断面図、図４は、本発明の化粧用ブラシの第２態様のものの斜視図、図５は、図４の化粧用ブラシの部分斜視図、図６は図４のブラシの断面図、図７は、シールカバーした内部シリンダー、図８は、シールカバーを外したときの内部シリンダーの分解斜視図を示す。
本発明の化粧用ブラシは、図１及び図２に示すように、多量のソフトヘアー１０、一端にソフトヘアー１０に取り付け、もう一方の端が開口状態の内部シリンダー１２、内部シリンダー１２の外面に摺動可能なスライディング・シリンダー１４、内部シリンダー１２の開口端に連結する圧力ポンプ１６、スライディング・シリンダー１４を収納する外部シリンダー１８、及びソフトヘアー１０をカバーする保護キャップ２０から構成されている。
【０００７】
ソフトヘアー１０は、ユーザーの肌に直接当たるため、十分しなやかに作ってあり、片端が内部シリンダー１２に一体となって構成されている。内部シリンダー１２は、内部が中空で、パウダーを供給するようになっている。また、もう一方の端は、開いた円形チューブになっており、ネジ切り部によって、その外面上で圧力ポンプ１６と連結している。
【０００８】
内部シリンダー１２には、スライディング・シリンダー１４の摩擦ガイド１４ａをガイドするために、内部シリンダーの外面に縦に沿って摩擦ガイド面１２ａが作られている。また、スライディング・シリンダー１４の各ガイド突起１４ｂをガイドするために、摩擦ガイド面１２ａとは別にガイド溝１２ｂを作ってある。各摩擦ガイド面は、各ガイド溝１２ｂと１８０度反対側にあり、各ガイド溝１２ｂは、スライディング・シリンダー１４をブラシ１０までスライドさせ、ソフトヘアー１０が完全に収納できるところで止まるのに十分な長さがある。内部シリンダー１２のソフトヘアー１０がある部分に多数の放出口１２ｃがあり、ソフトヘアー１０を通してパウダーが外部に噴射できるようになっている。
【０００９】
内部シリンダー１２をふさぐためにフィルター１３が設けられており、適量のパウダーを供給するようになっている。フィルター１３は、できればポリエステル・フォームかスポンジで作るのが望ましい。
スライディング・シリンダー１４は、内部シリンダーの外面に付けるために、内部がトンネル状になっており、摩擦ガイド１４ａは、夫々内部シリンダー１２の摩擦ガイド面１２ａに沿って動き、ガイド突起１４ｂは、内部シリンダー１２のガイド溝１２ｂに沿ってガイドする。
留め具１４ｃは、摩擦１４ａの反対側のスライディング・シリンダー１４の外面に沿って作られており、保護キャップ２０のジョー２０ａとマッチするようになっている。
【００１０】
圧力ポンプ１６には、内部シリンダー１２の対応部分にマッチさせるために、内面２２ａの所にネジ部分２２ａがあり、真ん中に長くて丸いパイプ２２ｂのあるチェンバー２２と、このチェンバー２２の外面の片側をカバーするための後キャップ２４と、片側が後キャップ２４に入り、その反対側が外に突き出た押ボタンがあり、チューブ２３で空気を圧縮するようになっている。
このチューブ２３は、フィルター前まで延びており、チェンバー２２のパイプ２２ｂに連結され、押ボタン２６により空気を圧縮することにより、フィルター１３へパウダーを供給する。チューブ２３には、逆とめ弁があり、押ボタン２６を押して、元の状態に戻るまでに、吸気の途中でチューブ２３を通って押ボタン２６までパウダーが逆流するのを防ぐようになっている。チューブ２３には、ボール２８とボール２８の前にバネ３０があり、ボール２８をはね返すようになっている。
【００１１】
パイプ２２ｂの前面の前端に留め具３２があり、パイプ２２ｂを留めている。弾力バネ３４が、チェンバー２２と押ボタンの間に挿入されており、押ボタン２６を押して、元の状態に戻るようになっている。またゴム・パッキン３６は、押ボタン２６と後キャップ２４を合わせながら、後端にある後キャップ２４の内面と密着し、空気を漏らさないようにしている。
外部シリンダー１８は、内部が中空になっていて、スライディング・シリンダー１４を収納できるようになっており、片端には圧力ポンプ１６の後キャップ２４と連結しており、もう一方の端部には突端１８ａがあり、その上で保護キャップ２０の端の部分を留めるようになっている。
保護キャップ２０の片端は、閉じており、ソフトヘアー１０をカバーし、保護するようになっており、また開いた前部の端の内面にジョー２０ａがあり、スライディング・シリンダー１４の留め具１４ｃのとマッチするようになっている。
【００１２】
本発明の化粧用ブラシは、内部シリンダー１２の内部にパウダーを供給するようになっており、内部シリンダー１２の開いた片端を、圧力ポンプ１６のチェンバー２２に連結することにより密閉する。そしてそれからスライディング・シリンダー１４と外部シリンダー１８を内部シリンダー１２の外面に付ける。
本発明の化粧用ブラシの使用に当たっては、使用者がソフトヘアー１０から保護キャップ２０をはずすと、このソフトヘアーが外に出て、パッと開く。密閉された内部空気は、圧力ポンプ１６の押ボタンを押すことによって圧縮され、チェンバー２２のパイプ２２ｂを通ってチューブ２３に流れ、このようにしてボール２８を押して、内部シリンダー１２の中のパウダーをフィルター１３まで押しやる。
【００１３】
弾力バネ３４によって押ボタンが元の状態に戻ると、ボール２８が、元の位置に戻り、留め具３２が密着し、パウダーの逆流を抑える。このような方法で、押ボタン２６を数回押すことにより、ブラシ中の適量のパウダーが、フィルター１３を通ってソフトヘア−１０に供給される。
使用後は、ソフトヘアー上に保護キャップをかぶせ、スライディング・シリンダーの前端を引張って、開いたソフトヘアー１０をしぼめて、その中に入れる。そしてスライディング・シリンダー１４の前端に保護キャップ２０を乗せ、引っ張ることによって、スライディング・シリンダー１４を元の状態にスライドさせる。この様にして保護キャップ２０をソフトヘアー１０にかぶせる。
【００１４】
本発明の化粧用ブラシの別の態様のものは、図４〜８に示されている。すなわち、内部シリンダーの片端が取り外し可能になっている。他端の開口した、ソフトヘアー１０のカプリング・チェンバー４０、ソフトヘアー１０をカバーするスライディング・シリンダー１４、内部シリンダー１２の開口端に連結する圧力ポンプ１６、スライディング・シリンダー１４が収納される外部シリンダー１８、ソフトヘアー１０をカバーする保護キャップ２０から構成されている。
【００１５】
長い円形パイプ状の内部シリンダー１２は、その一方の側の外面にネジ切り部４２ａがあり、圧力ポンプ１６に合わさっている。また、その反対側の内面には、ネジ切り部４２ｂがあり、カプリング・チェンバー４０と合わさっている。特別付属品としてパウダーを収納する内部シリンダー１２は、両端が銀紙のようなシ−ルカバー４４で密閉されており、シ−ルカバー４４をはずしてから、両端をそれぞれカプリング・チェンバー４０と圧力ポンプ１６に接合して使用する。
カプリング・チェンバー４０は、一方の側の外面にネジ切り部４０ａがあり、内部シリンダー１２のネジ切り部４２ｂとマッチする。また、他端の中央部にシリンダー部分の前部が位置し、多数の放出口が設けられている。シリンダー部分には、ソフトヘアー１０がある。カプリング・チェンバー４０の内部には、フィルター１３があり、パウダーの供給をコントロールする。
【００１６】
本発明の化粧用ブラシの好ましい態様を述べると、カプリング・チェンバー４０から分離して位置する内部シリンダー１２内のパウダーを、使い切ると、パウダーが満たされた新しい内部シリンダーをカプリング・チェンバー４０に接合する。
このようにして化粧用ブラシが再び使用できる。清掃及び交換のために、フィルター１３をカプリング・チェンバー４０から取外すことができる。カプリング・チェンバー４０に接合する新しい内部シリンダーを連結するときには、内部シリンダ−４２の端部を上方に向けた後、対応するシ−ルカバー４４を内部シリンダー１２の端から取り外して、内部シリンダー１２を再びカプリング・チェンバー４０に連結させる。
内部シリンダー１２の他端を上方に向けるように、再度ひっくり返して後、別のシ−ルカバー４４を外し、内部シリンダー１２を圧力ポンプ１６に接合するようにする。
【００１７】
本発明の化粧用ブラシには、このようなスライディング・シリンダーと保護キャップがあり、ソフト・ヘアーが摩耗したり、汚れたりしないようになっている。その上、内部シリンダーは、ソフトヘアーの付いた連結部からスムーズに外れ、また再度接合することによって、内部シリンダーにパウダーを詰め替える際のトラブルを解決し、フイルターの清掃とフイルター交換を容易にすることができる。
【００１８】
【発明の効果】
上述するように、本発明の化粧用ブラシは、使用中のみソフトヘアーが外部に出て、使用しないときにはカバーをして保護することによって、簡単に汚れたり、摩耗したりすることがない。また、パウダー交換の必要がなく、簡単にフィルターの清掃・交換が出来るので、使用者にとって利便に使用できる。
【図面の簡単な説明】
【図１】  本発明の化粧ブラシの好適な第１態様のものの斜視図。
【図２】  本発明の化粧用ブラシのスライディングシリンダ−の断面図
【図３】  本発明の化粧用ブラシのスライディングシリンダ−の断面図
【図４】  本発明の化粧用ブラシの第２態様のものの斜視図
【図５】  図４の化粧用ブラシの部分斜視図
【図６】  図４のブラシの断面図
【図７】  シ−ルカバ−した内部シリンダ−
【図８】  シ−ルカバ−を外したときの内部シリンダ−の分解斜視図
【符号の説明】
１０      ソフトヘアー
１２      内部シリンダー
１２ａ    摩擦ガイド面
１２ｂ    ガイド溝
１２ｃ    放出口
１３      フィルター
１４      スライディング・シリンダー
１４ａ    摩擦ガイド
１４ｂ    ガイド突起
１４ｃ    留め具
１６      圧力ポンプ
１８      外部シリンダ−
１８ａ    突起
２０      保護キャップ
２０ａ    ジョー
２２      チェンバー
２２ａ    ネジ切り部
２２ｂ    パイプ
２３      チューブ
２４      後キャップ
２６      押ボタン
２８      ボール
３０      バネ
３２      留め具
３４      弾力バネ
３６      ゴム・パッキン
４０      カプリング・チェンバー
４０ａ    ネジ切り部
４２ａ    ネジ切り部
４２ｂ    ネジ切り部
４４      シール・カバー
【図１】
0003754260.tif 000002
【図２】
0003754260.tif 000003
【図３】
0003754260.tif 000004
【図４】
0003754260.tif 000005
【図５】
0003754260.tif 000006
【図６】
0003754260.tif 000007
【図７】
0003754260.tif 000008
【図８】
0003754260.tif 000009